(57)【特許請求の範囲】
【請求項１】
基台と該基台に設けられた支軸と該支軸に軸止された揺動体とを有するオブジェであって、揺動体には支軸よりも一端側に空洞が形成されており、空洞には空洞内へ液体を流入する流入口が設けられていると共に流入口よりも一端側に空洞内から液体を排出する排出口が設けられており、排出口が揺動体の底面から空洞内へ突出する筒体の開口によって形成されており、揺動体の重心は空洞内に液体を流し込まれていない状態において支軸よりも他端側寄りに位置しており、流入口から空洞内へ流入した液体の重さによって揺動体が一端側を下げるように傾いた状態において空洞内から液体を排出するように排出口が位置しており、当該排出口は揺動体がある程度一端側を下げるように傾けた状態から最も一端側を下げるように傾けた状態になるまで空洞内の液体が排出されるように空洞内の所定の高さに位置付けられており、揺動体が最も一端側を下げるように傾いた状態において空洞内の液体の一部が排出口から排出されることなく空洞内に留まることを特徴とするオブジェ。
【請求項２】
筒体の先端が他端側から一端側へ下がるように傾斜している請求項１記載のオブジェ。
【発明の詳細な説明】
【技術分野】
【０００１】
本発明は、オブジェに関するものである。
【背景技術】
【０００２】
周知のとおり、庭園に設置されるオブジェには、燈篭や自然石など多種多様なものがあるが、その中でも猪威しは、静的な庭園の中で動的な表現を加えるものとして設置されることが多い。
【０００３】
猪威しは、一端が開口していると共に他端が閉口している竹筒を基台に対して軸止めしたものであり、竹筒の重心は支点よりも上方であって他端側寄りに位置付けられている。従って、竹筒は外力が加わらない限り他端側を下げるように傾いた状態となる。そして、竹筒の開口から水を流し込むと、竹筒内に所定量の水が溜まることにより、竹筒は水の重みによって一端側を下げるように傾いた状態となり、竹筒内の水を開口から排出する。続いて、竹筒内の水が排出されることにより、竹筒は水の重みが無くなって再び他端側を下げるように傾いた状態となり、竹筒内に水を溜め始める。なお、猪威しは、竹筒内に流し込まれる水の量を一定に保つことによって前記一連の動作を周期的に繰り返す。
【０００４】
前記猪威しの原理を利用したものとして、後述特許文献１には、一定間隔で定量づつ水等を鉢植に給水する自動給水装置において、前記水等を所定量収容し、かつ前記水等を少量づつ注出する注出孔を有したタンクと、前記注出孔から注出された水等を受け、該水等が一定量以上溜まると揺動して溜まった水等を排出するししおどしを設けた鉢植自動給水装置が開示されている。
【先行技術文献】
【特許文献】
【０００５】
【特許文献１】実開昭６３−２８３５１号公報
【発明の概要】
【発明が解決しようとする課題】
【０００６】
ところで、前記猪威しや前記猪威しの原理を利用した給水装置においては、竹筒（タンク）に溜まった水を排出する際に、竹筒内の支軸よりも他端側（後部側）に溜まった水が一気に一端側（前部側）に移動するため、一端側を下げるように傾く動作が素早くなり、この時、竹筒内の水は一気に全て排出されるため、一端側が急激に軽くなり、これにより、他端側（後部側）を下げるように傾く動作も素早くなり、緩やかに揺動するものではなかった。
【０００７】
そこで、本発明者は、前記猪威しの原理を利用し、かつ、前記猪威しでは表現することができない新たな動きを表現するオブジェを得ることを技術的課題として、その具現化をはかるべく、試行錯誤的に実験を重ねた結果、基台と該基台に設けられた支軸と該支軸に軸止された揺動体とを有するオブジェにおいて、揺動体に一端側から伸びる空洞を形成し、空洞に空洞内へ液体を流入する流入口を設けると共に流入口よりも一端側に空洞内から液体を排出する排出口を設け、揺動体の重心を空洞内に液体を流し込まれていない状態において支軸よりも他端側寄りに位置させ、流入口から空洞内へ流入した液体の重さによって揺動体が一端側を下げるように傾いた状態において空洞内から液体を排出するように排出口を位置し、揺動体が最も一端側を下げるように傾いた状態において空洞内の液体の一部が排出口から排出されることなく空洞内に留まるようにすれば、揺動体を緩やかに揺動させることができるという刮目すべき知見を得、前記技術的課題を達成したものである。
【０００８】
前記技術的課題は、次の通りの本発明によって解決できる。
【０００９】
すなわち、本発明に係るオブジェは、基台と該基台に設けられた支軸と該支軸に軸止された揺動体とを有するオブジェであって、揺動体には一端側から伸びる空洞が形成されており、空洞には空洞内へ液体を流入する流入口が設けられていると共に流入口よりも一端側に空洞内から液体を排出する排出口が設けられており、排出口が揺動体の底面から空洞内へ突出する筒体の開口によって形成されており、揺動体の重心は空洞内に液体を流し込まれていない状態において支軸よりも他端側寄りに位置しており、流入口から空洞内へ流入した液体の重さによって揺動体が一端側を下げるように傾いた状態において空洞内から液体を排出するように排出口が位置しており、揺動体が最も一端側を下げるように傾いた状態において空洞内の液体の一部が排出口から排出されることなく空洞内に留まるものである。
【００１０】
また、本発明は、前記オブジェにおいて、筒体の先端が他端側から一端側へ下がるように傾斜しているものである。
【発明の効果】
【００１１】
本発明によれば、揺動体に一端側から伸びる空洞を形成し、空洞に空洞内へ液体を流入する流入口を設けると共に流入口よりも一端側に空洞内から液体を排出する排出口を設け、揺動体の重心を空洞内に液体を流し込まれていない状態において支軸よりも他端側寄りに位置し、流入口から空洞内へ流入した液体の重さによって揺動体が一端側を下げるように傾いた状態において空洞内から液体を排出するように排出口を位置し、揺動体が最も一端側を下げるように傾いた状態において空洞内の液体の一部が排出口から排出されることなく空洞内に留まるように構成したので、揺動体が一端側を下げるように傾いた状態から他端側を下げるように傾いた状態になる場合においては、空洞内に溜まった液体の一部が空洞内から排出されることなく残存するため、これによって揺動体の一端側の重さが減少が緩和されて緩やかに他端側が下がるように傾く。また、揺動体が他端側を下げるように傾いた状態から一端側を下げるように傾いた状態になる場合においては、空洞内に徐々に溜まる液体の重さによって緩やかに一端側が下がるように傾く。従って、揺動体は、緩やかな周期で揺動を繰り返すという猪威しにはない新たな動きを表現することができる。
【００１２】
従って、本発明の産業上利用性は非常に高いといえる。
【図面の簡単な説明】
【００１３】
【図１】実施の形態１に係るオブジェを示した斜視図である。
【図２】図１に示すオブジェを示した縦断面図である。
【図３】図１に示すオブジェの動作を説明する説明図である。
【図４】実施の形態２の変形例１に係る揺動体を示した縦断面図である。
【図５】実施の形態２の変形例２に係る揺動体を示した縦断面図である。
【図６】図５に示す揺動体の空洞内に液体が流し込まれた状態を示した縦断面図である。
【発明を実施するための形態】
【００１４】
以下、本発明の実施の形態を説明する。
【００１５】
実施の形態１．
【００１６】
本実施の形態に係るオブジェ１は、図１及び図２に示すように、設置面２に対して垂直に立てられる基台３と、基台３の上端に設けられた設置面２に対して水平方向へ伸びる支軸４と、支軸４に軸止めされた矩形状の揺動体５とを有するオブジェである。
【００１７】
揺動体５には、下面から上方へと窪んだ凹部６が形成されており、凹部６の両内側面に支軸４が掛け渡されている。これにより、揺動体５は支軸４を回転軸としてシーソー状に揺動可能になっている。
【００１８】
また、揺動体５は、支軸４よりも一端７側に位置する部分に空洞８が形成されており、空洞８には、支軸４側に空洞８内へ水を流入させるための流入口９が形成されており、また、流入口９よりも一端７側に位置するように空洞８内から水を排出させるための排出口１０が形成されている。
【００１９】
流入口９は、貫通孔１１を介して凹部６へと繋がっている。そして、筒状の基台３の内部に通されたホース１２の先端が貫通孔１１を介して流入口９へと接続されている。
【００２０】
排出口１０は、空洞８の底面に形成された開口１３から空洞８内へ突出するパイプ１４の上端によって形成されている。そして、排出口１０は、流入口９から空洞８内へ流入した液体の重さによって揺動体５が一端７側を下げるように傾いた状態において空洞８内から液体を排出するように空洞８内の所定の高さに位置付けられている。
【００２１】
なお、揺動体５の重心は、空洞８内に液体が流入されていない状態において支軸４よりも他端１５側に位置付けられている。そして、揺動体５の重心は、空洞８内に液体を出し入れすることによって揺動体５を水平に保った状態における支軸４の下方に位置する部分を跨ぐように移動する。
【００２２】
次に、本実施の形態に係るオブジェの動作を説明する。
【００２３】
先ず、図３の（ａ）に示すように、空洞８内に液体が流入されていない状態においては、揺動体５の重心は支軸４よりも他端１５側に位置するため、揺動体５は支軸４を支点として他端１５側が下がるように傾いた状態となる。
【００２４】
次に、基台３内を通るホース１２に液体を流して流入口９から空洞８内に液体を流し込むと、図３の（ｂ）に示すように、空洞８内に液体１６が溜まって揺動体５の一端７側の重さが増して一端７側が徐々に下がり始める。なお、空洞８内に流し込む液体１６は流入口９から一定流量で常に流し続けられる。そして、空洞８内に溜まった液体１６が所定量に達すると、揺動体５の重心が支軸４よりも一端７側に移動するため、揺動体５は支軸４を支点として一端７側が下がるように傾いた状態となる。この時、揺動体５が一端７側を下げるように傾くことにより、空洞８内に溜まった液体１６が空洞８内を一端７側に移動するため、揺動体５は更に一端７側を下げるように傾いた状態となる。
【００２５】
次に、揺動体５がある程度一端７側を下げるように傾くと、図３の（ｃ）に示すように、排出口１０が空洞８内に溜まった液体１６の水面よりも下方に位置付けられた状態となり、空洞８内に溜まった液体１６が排出され始める。そして、空洞８内に溜まった液体１６がある程度排出されると、図３の（ｄ）に示すように、揺動体５の一端７側よりも他端１５側が重くなり、揺動体５は支軸４を支点として他端１５側を下げるように傾き始める。この時、空洞８内に溜まった液体１６の一部が空洞８内に留まった状態を維持すると共に、流入口９から空洞８内へ液体１６が流入し続けるため、揺動体５の一端７側の重さの減少が緩和され、揺動体５は緩やかに一端７側を下げるように傾けた状態から他端１５側を下げるように傾けた状態に移行する。
【００２６】
そして、空洞８内には一定流量の液体１６が流入口９から流れ込み続けているため、図３の（ｅ）に示すように、揺動体５がある程度他端１５側を下げるように傾けた時点で、空洞８内に溜まった液体１６の重みによって揺動体５の一端７側が他端１５側よりも重くなり、再び揺動体５は緩やかに他端１５側を下げるように傾けた状態から一端７側を下げるように傾けた状態に移行する。
【００２７】
この後、図３の（ｂ）〜図３の（ｅ）の動作を繰り返すことによって揺動体５は緩やかに揺動動作を行う。
【００２８】
なお、本実施の形態においては、空洞８の下方に流入口９を設けたが、空洞８の上方に流入口９を設けてもよい。
【００２９】
また、本実施の形態におけるパイプは、液体が通過できるものであれば、断面形状は円形状や多角形状であってもよく、特に限定されない。
【００３０】
また、本実施の形態においては、パイプ１４によって排出口１０を形成しているため、空洞８内に突出するパイプ１４の長さや、パイプ１４先端の内径を調整することにより、空洞８内から排出される液体１６の流量を簡易に調整することができる。
【００３１】
実施の形態２．
【００３２】
本実施の形態は前記実施の形態における揺動体５の変形例である。
【００３３】
変形例１：本変形例における揺動体５においては、図４に示すように、排出口１０が空洞８の上方を残して空洞８内を支軸４側と一端７側とで二分するように堰壁１７を設け、その堰壁１８よりも一端７側に位置する底面を開口することによって形成されている。よって、空洞８の高い位置に排出口１０が形成される。
【００３４】
本変形例においても前記実施の形態１と同様の作用効果を得ることができる。
【００３５】
変形例２：本変形例における揺動体５においては、図５に示すように、排出口１０が空洞８の底面に形成された開口から空洞８内へ突出するパイプ１４によって形成されており、パイプ１４の空洞８側へ突出した先端は支軸４側から一端７側へ下るように傾斜して切断されている。
【００３６】
本変形例によれば、排出口１０を形成するパイプ１４の先端が支軸４側（他端１５側）から一端７側へ下がるように傾斜して形成されているため、図６の（ａ）に示すように、揺動体５が他端１５側を下げるように傾いている場合には、より多くの液体を空洞８内に保持することができ、図６の（ｂ）に示すように、揺動体５が一端７側を下げるように傾いている場合には、より多くの液体１６を排出口１０から排出することができる。
【００３７】
本変形例においても前記実施の形態１と同様の作用効果を得ることができる。
【００３８】
本発明において、空洞内へ流入させる液体は、水が好ましいが、流動するものであれば水以外のものであってもよい。
【符号の説明】
【００３９】
１  オブジェ
２  設置面
３  基台
４  支軸
５  揺動体
６  凹部
７  一端
８  空洞
９  流入口
１０  排出口
１１  貫通孔
１２  ホース
１３  開口
１４  パイプ
１５  他端
１６  液体
１７  堰壁
【図１】
0005505611.tif 000002
【図２】
0005505611.tif 000003
【図３】
0005505611.tif 000004
【図４】
0005505611.tif 000005
【図５】
0005505611.tif 000006
【図６】
0005505611.tif 000007